(57)【要約】【課題】カバーが意図しないときには容易に外されない防雨カバーを提供する。【解決手段】ボディ９に設けた弾性片２４と、カバー１０に設けた係合突起３４との係合により、カバー１０の上方移動を規制するため、係止突起２９、３０と係止溝２０、２１との係合状態は維持され、弾性片２４と係合突起３４との係合が解除されない限り、カバー１０は容易に外れない。【選択図】図５
2008245395.tif 000002
【特許請求の範囲】
【請求項１】
配線を屋外から屋内側へ挿通させる通線孔が形成された造営面に、前記通線孔に対応する挿通口を有するボディを取付け、前記ボディに形成された係止溝に、カバーに形成された係止突起を上側から係合させて、カバーをボディに対して取付ける構造の防雨カバーであって、
前記ボディおよび前記カバーに、互いに係合してカバーの上方移動を規制するストッパ手段を設けたことを特徴とする防雨カバー。
【請求項２】
前記ボティには、前記係止溝の上端に向けて略水平方向に延び且つ前記カバーの係止突起を前記係止溝に向けて案内する案内段部が形成されていることを特徴とする請求項１に記載の防雨カバー。
【請求項３】
前記ストッパ手段は、係合が解除可能な構造になっていることを特徴とする請求項１または請求項２に記載の防雨カバー。
【請求項４】
前記ストッパ手段は、前記ボディから突設され前記係合解除方向へ弾性変形自在な弾性片に形成された係合段部と、前記カバーに形成され前記弾性片の係合段部と係合する係合突起と、を備えて構成されていることを特徴とする請求項３記載の防雨カバー。
【請求項５】
前記ボティの弾性片の係合段部の隣接部位と、前記カバーの係合突起の隣接部位と、の間に工具を挿入可能な隙間が形成され、
前記いずれかの隣接部位には、前記工具の挿入に従って前記弾性片を前記係合解除方向に向けて弾性変形させる傾斜面が形成されている請求項４記載の防雨カバー。
【請求項６】
前記カバーの左右両側に側壁部をそれぞれ形成し、
該側壁部にボディ側へ向けて突設された規制突起を形成し、
前記ボディに、前記規制突起が挿入自在で、挿入状態で係止突起の係止溝に対する係合解除可能位置まで上方移動を許容し且つ左右方向外側への移動は規制する規制溝を形成したことを特徴とする請求項１〜５のいずれか１項に記載の防雨カバー。
【請求項７】
前記カバーの内面に左右両側の側壁部とその他の壁部とを連結する補強リブが一体形成されていることを特徴とする請求項１〜６のいずれか１項に記載の防雨カバー。
【請求項８】
前記造営面に設けられた通線孔に対して屋外側から挿入されて配線を挿通可能な管部と、前記管部の屋外側端部から外径方向に突設された鍔部と、を有する防水ブッシングを有することを特徴とする請求項１〜７のいずれか１項に記載の防雨カバー。
【請求項９】
前記管部の周面に、通線孔の内面に圧接する複数の環状リブを形成したことを特徴とする請求項８記載の防雨カバー。
【請求項１０】
前記ボディを防水パッキンを介して造営面に取付けた状態で、防水パッキンと鍔部との間に間隔が設けられていることを特徴とする請求項８又は請求項９に記載の防雨カバー。
【発明の詳細な説明】
【技術分野】
【０００１】
本発明は、建物の外壁に取り付けられて、例えば電線、電話線、テレビのアンテナ線、ＬＡＮケーブル、気体や流体を流す管などを含む配線を屋外から屋内に入線するための防雨カバーに関するものである。
【背景技術】
【０００２】
従来より、建物の屋外側の造営面に形成された通線孔に、屋外と屋内との間にわたる配線を通線させ、配線が通された造営面の通線孔部分にボディとカバーを屋外側から取付ける防雨カバーが知られている。
【０００３】
ボディは通線孔に対応する挿通口を有し、造営面に対して防水パッキンを介して固定される。カバーは前記ボディに取付けられ、配線の挿通部分を覆い隠す。
【０００４】
ボディに対するカバーの取付構造としては、ボディの複数箇所に上側が開口した係止溝を形成し、カバーには対応位置に係止突起を形成し、カバーをボディの上側に押し当て、そのまま下方にスライドさせることにより、係止突起を係止溝内に係合させ、カバーをボディに対して取付けるようにしている（例えば、特許文献１参照）。
【特許文献１】特許第３６０１３９６号
【発明の開示】
【発明が解決しようとする課題】
【０００５】
しかしながら、このような従来の技術にあっては、ボディの係止溝に対してカバーの係止突起を上から係合させるだけの構造であるため、カバーに外側から衝撃が加えられた場合に、係止突起と係止溝との係合が解除されて、カバーがボディから外れるおそれがある。また、いたずら等によりカバーが外されてしまうことがもある。
【０００６】
本発明は、このような従来の技術に着目してなされたものであり、カバーが意図しないときには容易に外されない防雨カバーを提供するものである。
【課題を解決するための手段】
【０００７】
請求項１に記載の発明は、配線を屋外から屋内側へ挿通させる通線孔が形成された造営面に、前記通線孔に対応する挿通口を有するボディを取付け、前記ボディに形成された係止溝に、カバーに形成された係止突起を上側から係合させて、カバーをボディに対して取付ける構造の防雨カバーであって、前記ボディおよび前記カバーに、互いに係合してカバーの上方移動を規制するストッパ手段を設けたことを特徴とする。
【０００８】
請求項２に記載の発明は、請求項１に記載の防雨カバーであって、前記ボティには、前記係止溝の上端に向けて略水平方向に延び且つ前記カバーの係止突起を前記係止溝に向けて案内する案内段部が形成されていることを特徴とする。
【０００９】
請求項３に記載の発明は、請求項１または２に記載の防雨カバーであって、前記ストッパ手段は、係合が解除可能な構造になっていることを特徴とする。
【００１０】
請求項４に記載の発明は、請求項３に記載の防雨カバーであって、前記ストッパ手段は、前記ボディから突設され前記係合解除方向へ弾性変形自在な弾性片に形成された係合段部と、前記カバーに形成され前記弾性片の係合段部と係合する係合突起と、を備えて構成されていることを特徴とする。
【００１１】
請求項５に記載の発明は、請求項４記載の防雨カバーであって、前記ボティの弾性片の係合段部の隣接部位と、前記カバーの係合突起の隣接部位と、の間に工具を挿入可能な隙間が形成され、前記いずれかの隣接部位には、前記工具の挿入に従って前記弾性片を前記係合解除方向に向けて弾性変形させる傾斜面が形成されていることを特徴とする。
【００１２】
請求項６に記載の発明は、請求項１〜５のいずれか１項に記載の防雨カバーであって、前記カバーの左右両側に側壁部をそれぞれ形成し、該側壁部にボディ側へ向けて突設された規制突起を形成し、前記ボディに、前記規制突起が挿入自在で、挿入状態で係止突起の係止溝に対する係合解除可能位置まで上方移動を許容し且つ左右方向外側への移動は規制する規制溝を形成したことを特徴とする。
【００１３】
請求項７に記載の発明は、請求項１〜６のいずれか１項に記載の防雨カバーであって、前記カバーの内面に左右両側の側壁部とその他の壁部とを連結する補強リブが一体形成されていることを特徴とする。
【００１４】
請求項８に記載の発明は、請求項１〜７のいずれか１項に記載の防雨カバーであって、前記造営面に設けられた通線孔に対して屋外側から挿入されて配線を挿通可能な管部と、前記管部の屋外側端部から外径方向に突設された鍔部と、を有する防水ブッシングを有することを特徴とする。
【００１５】
請求項９に記載の発明は、請求項８に記載の防雨カバーであって、前記管部の周面に、通線孔の内面に圧接する複数の環状リブを形成したことを特徴とする。
【００１６】
請求項１０に記載の発明は、請求項８又は請求項９に記載の防雨カバーであって、前記ボディを防水パッキンを介して造営面に取付けた状態で、防水パッキンと鍔部との間に間隔が設けられていることを特徴とする。
【発明の効果】
【００１７】
請求項１記載の発明によれば、ストッパ手段により、カバーの上方移動が規制されるため、係止突起と係止溝との係合状態は維持され、ストッパ手段が解除されない限り、カバーは容易に外れない。
【００１８】
請求項２記載の発明によれば、ボティにカバーを取り付ける際に、係止突起が案内段部に沿って水平方向に案内されて係止溝の上端（係止溝の入口）まで案内されるのため、ボティにカバーを取り付ける際のカバーの上下方向のストロークは、係止突起が係止溝の上端（入口）から底面まで移動する距離ですむ。そのため、カバー取付時の上下ストロークが小さくなることで、防雨カバーの上方に出窓などの構造物があっても確実にボティにカバーを取り付けられる構造となる。
【００１９】
請求項３記載の発明によれば、ストッパ手段が解除可能な構造になっているため、必要な時に力を加えてストッパ手段を解除することができる。
【００２０】
請求項４記載の発明によれば、係合段部と係合突起との係合が解除される方向に弾性片を弾性変形させることにより、ストッパ手段を容易に解除状態にすることができる。
【００２１】
請求項５記載の発明によれば、隙間に工具を挿入すると、工具と傾斜面との関係により、弾性片が係合解除方向へ弾性変形するため、係合突起と係合段部との係合を確実に解除できる。
【００２２】
請求項６記載の発明によれば、規制突起が規制溝内に係合することにより、側壁部の左右方向外側への移動（開き）が防止される。従って、係止突起が係止溝から左右方向外側へ抜ける構造であっても、係止突起と係止溝との上下方向での係合状態が維持される。また、規制突起は規制溝内で上方移動可能なので、係止突起を係止溝から離脱させる上方移動動作は許容される。
【００２３】
請求項７記載の発明によれば、カバーに補強リブを設けたため、カバーの全体剛性が向上すると共に、側壁部の左右方向外側への変形が抑制され、係止突起と係止溝との係合状態が更に確実となる。
【００２４】
請求項８記載の発明によれば、造営面の通線孔に防水ブッシングが挿入されているため、通線孔を通って水が屋内側へ侵入するのを防止することができる。
【００２５】
請求項９記載の発明によれば、管部の周面に通線孔の内面に圧接する複数の環状リブが形成されているため、通線孔を通って水が屋内側へ侵入するのを更に確実に防止することができる。
【００２６】
請求項１０記載の発明によれば、防水パッキンと鍔部との間に間隔が設けられているため、造営面の表面状態により鍔部の造営面に対する接離方向の位置が変動しても、対応することができる。
【発明を実施するための最良の形態】
【００２７】
（実施形態１）
本発明の実施形態１を図１〜図１４に基づいて説明する。尚、以下の説明では特に断りがない限り、図１において、屋外側を前側、屋内側を後側、屋内外方向を前後方向、また裏面側に向かって左右方向を規定するものとする。
【００２８】
建物の造営面１には通線孔２が形成されている。この通線孔２は断面円形で、内部に電線、電話線、テレビのアンテナ線、ＬＡＮケーブル、気体や流体を流す管などを含む配線３を屋外から屋内に導入するためのものである。
【００２９】
このような通線孔２が形成された造営面１に、屋外側から防雨カバー４が取付けられる。防雨カバー４は、防水パッキン５、防雨カバー本体６より構成されている。
【００３０】
防水パッキン５は軟質の合成樹脂製で、全体として下向きのコ字形状で、コ字方の周囲に沿って周溝７が形成されている。また、防水パッキン５の上部には固定孔８が形成されている。
【００３１】
防雨カバー本体６は合成樹脂製で、ボディ９とカバー１０とから構成されている。
【００３２】
ボディ９は外形が防水パッキン５に相応する矩形状で、中央には造営面１の通線孔２に対応する挿通口１１が形成されている。挿通口１１が下側が開口した形状になっている。
【００３３】
ボディ９には下側に固定片１２が組み付けられ、その固定片１２には防雨カバー本体６の底面部を構成するブッシング１３が取付けられる。
【００３４】
ブッシング１３は絶縁性および可撓性を有する無色透明な材料により形成され、切込溝１４が複数形成されている。配線３の先端側をブッシング１３の切込溝１４内に挿入すると、切込溝１４の周部が配線３によって撓められて、配線３を通す隙間ができ、この隙間を通して配線３を通すことができるようになっている。
【００３５】
ブッシング１３の若干上方にはリング部１５が形成され、ここに通したベルト１６により配線３を保持して張力止めを行うことができる。
【００３６】
ボディ９の上部には固定孔１７が形成され、ボディ９の下部にもブッシング１３の下側位置に固定孔１８が形成されている。下側の固定孔１８は蓋１９により塞ぐことができる。
【００３７】
ボディ９の上端には係止溝２０が形成されている。この係止溝２０は上部が開口した形状で、左右方向に連続している。また、ボディ９の左右両端には、上下２箇所づつに係止溝２１が形成されている。この係止溝２１は上方及び左右両側が開口している。
【００３８】
また、ボディ９には、係止溝２１の上端（入口）に向けて水平方向に延びる案内段部５１が形成されている。
【００３９】
更に、ボディ９の左右両端の下端には規制溝２２が形成されている。この規制溝２２は上下に長い溝部であり、前側だけが開口しており、左右方向外側へは開口していない。
【００４０】
そして、ボディ９のうち固定片１２が取付けられる箇所の左右両側には、図６に示すように上側のヒンジ２３を中心に下側を前後方向に弾性変形可能な弾性片２４がそれぞれ形成されている。弾性片２４の下端部には、係合段部としての段差部２５が形成されている。このボディ９の弾性片２４の段差部２５と、後述するカバー１０の係合突起３４と、が互いに係合することで、ボディ９にカバー１０を取り付けた状態で、カバー１０が上方に移動できないように規制されちる。なお、これら弾性片２４の係合段部２５とカバー１０の係合突起３４とで本実施形態のストッパ手段が構成される。
【００４１】
弾性片２４の下端と、ボディ９の一般面との間には隙間Ｓ（図１０参照）が確保され、その隙間Ｓの範囲で弾性片２４が弾性変形することができる。
【００４２】
弾性片２４のうち前記係合段部２５の左右方向内側の隣接部位には、傾斜面２６が形成されている。この傾斜面２６は上側に向けて漸次前側へ傾斜している。
【００４３】
このような構造のボディ９に対してカバー１０が取付けられる。カバー１０は、左右両側に側壁部２７ｂと、この左右の側壁部２７ｂを一体的に連結する前壁部２７ａと、を有して水平断面でコ字形に形成されるとともに垂直断面でコ字形に形成され、下方には下端開口２８が形成されている。
【００４４】
カバー１０の上端部には下向きの係止突起２９が形成され、左右両側の側壁部２７ｂには、屋内側の端部にそれぞれ下向きの係止突起３０が２箇所ずつ形成されている。これらの係止突起２９、３０は下向きの長さ寸法が約５ｍｍ程度の短いものである。
【００４５】
また、側壁部２７の端末下端にはボディ９側に突出する規制突起３１が形成されている。この規制突起３１は規制溝２２により上下サイズが小さく形成されている。
【００４６】
そして、カバー１０の内面には左右の側壁部２７ｂとその他の壁部（この例では前壁部２７ａを連結する上下二枚の補強リブ３２、３３が形成されている。両方とも概略コ字形に形成されており、下側の補強リブ３３の内形は、前記ブッシング１３を取付ける固定片１２の外形に相応している。
【００４７】
下側の補強リブ３３の先端には、係合突起３４が形成されている。この係合突起３４は補強リブ３３の上面に形成された突状リブ３５の先端により形成されている。このカバー１０の係合突起３４は、上述のようにボディ１０の弾性片２４の係合段部２５とともに本実施形態のストッパ手段を構成している。
【００４８】
補強リブ３３における係合突起３４の隣接部位３６は、図１０、１１に示すように前記弾性片２４の係合段部２５に隣接する傾斜面２６に隙間Ｄを介して対峙している。この隙間Ｄは、工具としてドライバー３７の先端を挿入可能になっている。
【００４９】
次に、防雨カバー本体６の取付け方を説明する。予めボディ９に対して固定片１２とブッシング１３は組み付けておく。また、ボディ９の裏面には、防水パッキン５も予め重合した状態で取付けておく。防水パッキン５のボディ９に対する取付けは、防水パッキン５の周縁の周溝７を、ボディ９の周縁に係合させることによる行う。
【００５０】
次に、その防水パッキン５が裏面に重合されたボディ９を、造営面１に押し当て、ボディ９の上下の固定孔１７、１８に挿入した木ねじによる固定ねじ（図示せず）を、造営面１に形成された固定穴（図示せず）に螺入して、ボディ９を造営面１に対して固定する。ボディ９の下側の固定孔１８は取付け後、蓋１９により塞ぐ。
【００５１】
ボディ９の裏面に防水パッキン５を予め取付けておくことができるため、ボディ９を造営面１に固定する作業が容易である。
【００５２】
ボディ９を取付けた後、カバー１０を取付ける前に、配線３を挿通口１１及びブッシング１３に通す。またベルト１６により配線３を保持する。カバー１０を取付ける前の開放状態で、配線３を通す作業を行うため、作業性が良い。
【００５３】
配線３を挿通口１１及びブッシング１３に通した後、ボディ９に対してカバー１０を取付ける。
【００５４】
カバー１０を取付ける際には、まずカバー１０を斜めにした状態で、側壁部２７の下端に形成された規制突起３１を、ボディ９の規制溝２２の上側に挿入する。そして、その規制突起３１を中心に、カバー１０全体を引き起こすように回転させながら、カバー１０の屋内側端部をボディ９の対応位置に押し当てる。
【００５５】
規制突起３１が規制溝２２の上部に係合しているため、カバー１０の各係止突起２９、３０は、係止溝２０、２１内の上側に位置した状態となる。そして、そのままボディ９の表面に沿ってカバー１０を下側に移動させると、規制突起３１が規制溝２２内を下側に移動し、各係止突起２９、３０が対応する係止溝２０、２１内に上側から係合し、補強リブ３３の係合突起３４が弾性片２４の先端の段差部２５に係合する。
【００５６】
係止突起２９、３０が係止溝２０、２１内に係合することにより、カバー１０の前後方向での固定がなされ、規制突起３１が規制溝２２内に係合することにより左右方向での固定がなされ、係合突起３４が弾性片２４の下端の段差部２５に係合することにより前記係止突起２９、３０との協働により上方移動が規制され上下方向での固定がなされる。
【００５７】
また、カバー１０に補強リブ３２、３３を設けたため、カバー１０の全体剛性が向上すると共に、側壁部２７の左右方向外側への変形が抑制されるため、この点においてもカバー１０の係合状態が強固なものになる。
【００５８】
従って、カバー１０に外部から衝撃が加わってもカバー１０がボディ９から外れるおそれはなく、いたずらによりカバー１０を取り外すこともできない。
【００５９】
カバー１０を取り外す場合には、図１０に示すように、下側から工具であるドライバー３７を、弾性片２４の係合段部２５に隣接する傾斜面２６と、係合突起３４の隣接部位３６との隙間Ｄに挿入する。すると、傾斜面２６の案内により、弾性片２４が、係合段部２５と係合突起３４の係合解除方向へ弾性変形して、係合突起３４と係合段部２５の係合を確実に解除されることとなる。
【００６０】
係合突起３４と係合段部２５との係合が解除されると、カバー１０の上方移動が可能になるため、カバー１０を上方に移動させて係止突起２９、３０を係止溝２０、２１から外す。規制突起３１は規制溝２２の内部を上方へ移動する。係止突起２９、３０と係止溝２０、２１との係合がはずれと、カバー１０をそのまま手前側に取り外すことができる。
【００６１】
次に本実施形態の効果を列挙する。
【００６２】
本実施形態は、防雨カバー４は、配線を屋外から屋内側へ挿通させる通線孔２が形成された造営面１に、通線孔２に対応する挿通口１１を有するボディ９を取付け、ボディ９に形成された係止溝２０、２１に、カバー１０に形成された係止突起２９、３０を上側から係合させて、カバー１０をボディ９に対して取付ける構造であり、ボディ９およびカバー１０に、互いに係合してカバー１０の上方移動を規制するストッパ手段（この例では係合段部２５、係合突起３４）が設けられている。そのため、ストッパ手段（２５、３４）により、カバー１０の上方移動を規制するため、係止突起２９、３０と係止溝２０、２１との係合状態は維持され、ストッパ手段（２５、３４）が解除されない限り、カバー１０に強い衝撃が加わったとしても容易に外れない。
【００６３】
また本実施形態では、ボディ９には、係止溝２０、２１の上端に向けて略水平方向に延び且つカバー１０の係止突起２９、３０を係止溝２０、２１に向けて案内する案内段部５１が形成されている。そのため、ボディ９にカバー１０を取り付ける際に、係止突起２９、３０が案内段部５１に沿って水平方向に案内されて係止溝２０、２１の上端（係止溝２０、２１の入口）まで案内されるのため、ボディ９にカバー１０を取り付ける際のカバー１０の上下方向のストロークは、係止突起２９、３０が係止溝２０、２１の上端（入口）から底面まで移動する距離ですむ。そのため、カバー取付時の上下ストロークが小さくなることで、防雨カバー４の上方に出窓などの構造物があっても確実にボディ９にカバー１０を取り付けられる構造となる。
【００６４】
また本実施形態では、前記ストッパ手段（２５、３４）は、係合が解除可能な構造になっている。そのため、必要な時に力を加えてストッパ手段を解除することができる。
【００６５】
また本実施形態では、前記ストッパ手段（２５、３４）は、ボディ９から突設され係合解除方向へ弾性変形自在な弾性片２４に形成された係合段部２５と、カバー１０に形成され弾性片２４の係合段部２５と係合する係合突起３４と、を備えて構成されている。そのため、係合が解除される方向に弾性片２４を弾性変形させることにより、ストッパ手段（２５、３４）を容易に解除状態にすることができる。
【００６６】
また本実施形態では、ボディ９の弾性片２４の係合段部２５の隣接部位２６と、カバー１０の係合突起３４の隣接部位３６と、の間に工具３７を挿入可能な隙間Ｄが形成され、いずれかの隣接部位２６、２７には、工具３７の挿入に従って弾性片２４を係合解除方向に向けて弾性変形させる傾斜面２６が形成されている。そのため、隙間Ｄに工具３７を挿入すると、工具３７と傾斜面２６との関係により、弾性片２４が係合解除方向へ弾性変形し、係合突起３４と係合段部２５との係合を確実に解除できる。
【００６７】
また本実施形態では、カバー１０の左右両側に側壁部２７ｂをそれぞれ形成し、該側壁部２７ｂにボディ９側へ向けて突設された規制突起３１を形成し、ボディ９に、規制突起３１が挿入自在な規制溝２２を形成し、規制溝２２に規制突起３１が挿入状態された状態で、規制溝２２は、係止突起２９、３０の係止溝２０、２１に対する係合解除可能位置までカバー１０の上方移動を許容し且つ左右方向外側への移動を規制するようになっている。このように、規制突起３１が規制溝２２内に係合することにより、カバー１０の側壁部２７ｂの左右方向外側への移動（開き）が防止される。従って、係止突起２９、３０が係止溝２０、２１から左右方向外側へ抜ける構造であっても、係止突起２９、３０と係止溝２０、２１との上下方向での係合状態が維持される。また、規制突起３１は規制溝２２内で上方移動可能なので、係止突起２９、３０を係止溝２０、２１から離脱させる上方移動動作は許容される。
【００６８】
また本実施形態では、カバー１０の内面に左右両側の側壁部２７ｂとその他の壁部２７ａとを連結する補強リブ３２、３３が一体形成されている。そのため、カバー１０の全体剛性が向上すると共に、側壁部２７ｂの左右方向外側への変形が抑制され、係止突起２９、３０と係止溝２０、２１との係合状態が更に確実となる。
【００６９】
（実施形態２）
本発明の実施形態２を図１５に基づいて説明する。尚、本実施形態２は上記第１実施形態にかかると同様の構成要素を備えている。よって、それら同様の構成要素については共通の符号を付すとともに、重複する説明を省略する。
【００７０】
この実施形態では、カバー３８の下側に上下２枚に水平な補強リブ３９、４０が形成されているとと共に、上側の左右両側に各側壁部４１ｂ、４１ｂと平行な縦型で且つカバー３８の側壁部４１ｂ、４１ｂとその他の壁部（前壁部４１ａ）とを結合する補強リブ４２がそれぞれ形成された構造をしている。
【００７１】
上側の縦型の補強リブ４２、４２は左右に分かれているため、内部に通される配線の邪魔にならず、確実にカバー３８全体の剛性を高めることができる。
【００７２】
（実施形態３）
本発明の実施形態３を図１６〜図１８に基づいて説明する。尚、本実施形態３も上記第１実施形態にかかると同様の構成要素を備えている。よって、それら同様の構成要素については共通の符号を付すとともに、重複する説明を省略する。
【００７３】
この実施形態では、造営面１の通線孔２に防水ブッシング４３を挿入している。
【００７４】
防水ブッシング４３は、通線孔２を通って水が屋内側へ侵入するのを防止するためのもので、合成樹脂成型品からなり、通線孔２に対して屋外側から挿入されて配線３を挿通可能な管部４４と、管部４４の屋外側端部から外径方向に突設された矩形の鍔部４５とから形成されている。
【００７５】
鍔部４５は外径方向端部が屋外側にオフセットした立体形状になっている。また、その管部４４の周面には、通線孔２の内面に圧接して水の移動を阻止し且つ管部４４自身の抜けを防止するための複数の環状リブ４６が形成されている。環状リブ４６が通線孔２の内面と密着し、造営面１の表面を流下する水滴が通線孔２から屋内側に浸入するの防止できるため、通線孔２をコーキングで埋める必要が無く、コーキングレスでの省施工が可能となる。
【００７６】
防水ブッシング４３には、防水ブッシング４３側のセット部品として、ホルダ４７が一緒に取付けられる。ホルダ４７は鍔部４５の外形に相当する開口を有する矩形フレーム形状で、鍔部４５同様に、外径方向端部が屋外側にオフセットした立体形状になっている。
【００７７】
このホルダ４７の内部に防水ブッシング４３の管部４４を屋外側から通し、更に管部４４内に配線を通しながら、鍔部４５を押して管部４４を通線孔２に挿入し、ホルダ４７の一部を鍔部４５と造営面１との間で挟持した状態にする。
【００７８】
防水ブッシング４３の鍔部４５とホルダ４７はそれぞれ立体的形状を有しているため、取付けられた状態で、防水ブッシング４３への屋外側からの配線の入口となるそれらの屋外側端部は、造営面１から離間した状態となる。
【００７９】
このような防水ブッシング４３及びホルダ４７の通線孔２への挿入・取付けた後、ボディ９及びカバー１０から成る防雨カバー本体６が、防水パッキン５を介装した状態で造営面１に取付けられる。
【００８０】
防水パッキン５及び防雨カバー本体６を取付けた状態で、防水ブッシング４３の鍔部４５と防水パッキン５との間には隙間Ｅが確保されている（図１８参照）。従って、造営面１の表面状態により鍔部４５の造営面に対する接離方向の位置が変動しても、対応することができる。
【００８１】
防水パッキン５の上方にはスリット４８が形成され、そこからホルダ４７の上端が上方へ突出し、ボディ９の一部に下側から当接している（図１７参照）。そのため、造営面１の表面に沿って流下する水がスリット４８を介して防雨カバー本体６の内部側へ侵入するのを防止することができる。
【００８２】
また、防水パッキン５と造営面１との間から水が侵入し、その水が造営面１に沿って流下しても、前述のように、防水ブッシング４３の鍔部４５において入口となる屋外側端部が、造営面１から離間しているため、造営面１の表面を流下する水が防水ブッシング４３内に侵入するのを防止することができる。
【００８３】
以上、本発明の各好適な実施形態について説明したが、本発明は上記実施形態に限定されるものではなく、種々の変形が可能である。
【図面の簡単な説明】
【００８４】
【図１】本発明の実施形態１に係る防雨カバーを示す斜視図。
【図２】防雨カバーを示す側面図。
【図３】防雨カバーを示す底面図。
【図４】防雨カバーを示す分解斜視図。
【図５】カバーとボディとの間の係合関係を示す斜視図。
【図６】防雨カバーを示す断面図。
【図７】図６中矢示ＤＢ部分を示す拡大断面図。
【図８】図６中矢示ＤＣ部分を示す拡大断面図。
【図９】図３中矢示ＤＡ部分を示す拡大図。
【図１０】図９中矢示ＳＡ−ＳＡ線に沿う断面図。
【図１１】図９中矢示ＳＢ−ＳＢ線に沿う断面図。
【図１２】図３中矢示ＤＤ部分を示す拡大斜視図。
【図１３】図１２中矢示ＳＣ−ＳＣ線に沿う断面図。
【図１４】図１２中矢示ＳＤ−ＳＤ線に沿う断面図。
【図１５】本発明の実施形態２に係るカバーの内部構造を明らかにした斜視図。
【図１６】本発明の実施形態３に係る防雨カバーを示す断面図。
【図１７】図１６中矢示ＤＥ部分を示す拡大断面図。
【図１８】図１６中矢示ＤＦ部分を示す拡大断面図。
【符号の説明】
【００８５】
１  造営面
２  通線孔
３  配線
４  防雨カバー
５  防水パッキン
６  防雨カバー本体
９  ボディ
１０、３８  カバー
２０、２１  係止溝
２２  規制溝
２４  弾性片
２５  係合段部（ストッパ手段）
２６  傾斜面（隣接部位）
２７、４１  側壁部
２９、３０  係止突起
３１  規制突起
３２、３３、３９、４０、４２  補強リブ
３４  係合突起（ストッパ手段）
３６  隣接部位
３７  ドライバー（工具）
４３  防水ブッシング
４４  管部
４５  鍔部
４６  環状リブ
４７  ホルダ
４８  スリット
Ｓ  隙間
Ｄ  隙間
Ｅ  離間間隔
【図１】
2008245395.tif 000003
【図２】
2008245395.tif 000004
【図３】
2008245395.tif 000005
【図４】
2008245395.tif 000006
【図５】
2008245395.tif 000007
【図６】
2008245395.tif 000008
【図７】
2008245395.tif 000009
【図８】
2008245395.tif 000010
【図９】
2008245395.tif 000011
【図１０】
2008245395.tif 000012
【図１１】
2008245395.tif 000013
【図１２】
2008245395.tif 000014
【図１３】
2008245395.tif 000015
【図１４】
2008245395.tif 000016
【図１５】
2008245395.tif 000017
【図１６】
2008245395.tif 000018
【図１７】
2008245395.tif 000019
【図１８】
2008245395.tif 000020